(57)【要約】【課題】    光出射方向を少なくとも３つの方向に切り替えることができる照明装置を提供する。【解決手段】    当該照明装置は、一定の方向に所定の配光で光を放出する光源と、前記光源から放出される光の少なくとも一部が入射するように配置される光学素子であって、該光を透過する透過状態、該光を第１の方向に反射する第１反射状態、および、該光を該第１の方向とは異なる第２の方向に反射する第２反射状態、に切り替えることができるエレクトロデポジション素子を含む光学素子と、を有する。【選択図】    図４
2015222349.tif 000002
【特許請求の範囲】
【請求項１】
一定の方向に所定の配光で光を放出する光源と、
前記光源から放出される光の少なくとも一部が入射するように配置される光学素子であって、該光を透過する透過状態、該光を第１の方向に反射する第１反射状態、および、該光を該第１の方向とは異なる第２の方向に反射する第２反射状態、に切り替えることができる光学素子と、
を有する照明装置。
【請求項２】
前記光学素子は、前記光源の光軸上に配置される請求項１記載の照明装置。
【請求項３】
前記光学素子は、
対向配置される第１および第２の透明基板と、
前記第１の透明基板の、前記第２の透明基板に近い表面に設けられたプリズム層と、
前記プリズム層の表面に設けられた第１の透明電極膜と、
前記第２の透明基板の、前記第１の透明基板に近い表面に設けられた第２の透明電極膜と、
前記第１および第２の透明電極膜の間に配置され、銀を含有するエレクトロデポジション材料を含む電解質層と、
を有し、
前記光学素子は、前記光源から放出される光が前記第１または第２の透明基板に対して傾いて入射するように配置される請求項１または２記載の照明装置。
【請求項４】
一定の方向に所定の配光で光を放出する光源と、
前記光源から放出される光の少なくとも一部が入射するように配置される第１の光学素子であって、該光を透過する第１透過状態、該光を第１の方向に反射する第１反射状態、および、該光を該第１の方向とは異なる第２の方向に反射する第２反射状態、に切り替えることができる第１の光学素子と、
前記光源から放出される光の少なくとも一部が入射するように配置される第２の光学素子であって、該光を透過する第２透過状態、該光を第３の方向に反射する第３反射状態、および、該光を該第３の方向とは異なる第４の方向に反射する第４反射状態、に切り替えることができる第２の光学素子と、
を有する照明装置。
【請求項５】
前記第１および第２の光学素子は、前記光源の光軸を挟んで対向配置される請求項４記載の照明装置。
【請求項６】
前記第１および第２の光学素子各々は、
対向配置される第１および第２の透明基板と、
前記第１の透明基板の、前記第２の透明基板に近い表面に設けられたプリズム層と、
前記プリズム層の表面に設けられた第１の透明電極膜と、
前記第２の透明基板の、前記第１の透明基板に近い表面に設けられた第２の透明電極膜と、
前記第１および第２の透明電極膜の間に配置され、銀を含有するエレクトロデポジション材料を含む電解質層と、
を有し、
前記第１および第２の光学素子各々は、前記光源から放出される光が前記第１または第２の透明基板に対して傾いて入射するように配置される請求項４または５記載の照明装置。
【請求項７】
請求項１〜６いずれか１項記載の照明装置と、
前記照明装置を支持し、撮像装置に取り付けるための連結機構を備える筐体と、
を有する撮影補助光源装置。
【発明の詳細な説明】
【技術分野】
【０００１】
本発明は、たとえばエレクトロデポジション素子などの光学素子を含む照明装置、および、その照明装置を利用した撮影補助光源装置に関する。
【背景技術】
【０００２】
特許文献１には、いわゆるエレクトロデポジション素子が開示されている。エレクトロデポジション素子は、主に、対向配置される一対の電極と、その一対の電極に挟持され、銀を含有するエレクトロデポジション材料を含む電解質層と、を含む。
【０００３】
定常時（電圧無印加時）、電解質層はほぼ透明であり、エレクトロデポジション素子は透明状態である。一対の電極間に電圧が印加されると、電気化学反応により、電解質層のエレクトロデポジション材料（銀）が、電極上に析出・堆積する。これにより、エレクトロデポジション素子は鏡面状態となる。
【先行技術文献】
【特許文献】
【０００４】
【特許文献１】特開２０１２−１８１３８９号公報
【発明の概要】
【発明が解決しようとする課題】
【０００５】
本発明の主な目的は、光源とたとえばエレクトロデポジション素子とを含む照明装置であって、光出射方向を少なくとも３つの方向に切り替えることができる照明装置を提供することにあり、また、出射光の配光状態を少なくとも３つの状態に切り替えることができる照明装置を提供することにある。
【課題を解決するための手段】
【０００６】
本発明の主な観点によれば、一定の方向に所定の配光で光を放出する光源と、前記光源から放出される光の少なくとも一部が入射するように配置される光学素子であって、該光を透過する透過状態、該光を第１の方向に反射する第１反射状態、および、該光を該第１の方向とは異なる第２の方向に反射する第２反射状態、に切り替えることができる光学素子と、を有する照明装置、が提供される。
【発明の効果】
【０００７】
光出射方向を少なくとも３つの方向に切り替えることができる照明装置、および、出射光の配光状態を少なくとも３つの状態に切り替えることができる照明装置、が提供される。
【図面の簡単な説明】
【０００８】
【図１】図１Ａは、エレクトロデポジション素子を示す断面図であり、図１Ｂは、エレクトロデポジション素子を製造する際に用いる金型を示す斜視図であり、図１Ｃは、定常状態（電圧無印加状態）におけるエレクトロデポジション素子の光学的機能を示す模式図である。
【図２】図２Ａおよび図２Ｂは、第１の光反射状態におけるエレクトロデポジション素子を示す断面図、および、その光学的機能を示す模式図である。
【図３】図３Ａおよび図３Ｂは、第２の光反射状態におけるエレクトロデポジション素子を示す断面図、および、その光学的機能を示す模式図である。
【図４】図４Ａ〜図４Ｃは、第１の実施例よる照明装置を示す模式図である。
【図５】図５Ａ〜図５Ｃは、第２の実施例による照明装置を示す模式図である。
【図６】図６Ａは、第３の実施例による照明装置を示す模式図であり、図６Ｂは、実施例によるエレクトロデポジション素子の変形例を示す断面図である。
【図７】図７Ａ〜図７Ｃは、実施例による照明装置の応用例を示す模式図である。
【発明を実施するための形態】
【０００９】
実施例による照明装置は、主に、光源と、たとえばエレクトロデポジション（ＥＤ）素子などの光学素子と、を含む構成である。ここで、実施例による照明装置について説明する前に、まずは、図１〜図３を参照して当該照明装置を構成するＥＤ素子について説明する。
【００１０】
図１Ａは、実施例によるＥＤ素子５０を示す断面図である。また、図１Ｂは、ＥＤ素子５０を製造する際に用いる金型２２Ｄを示す斜視図である。以下、図１Ａおよび図１Ｂを参照しながら、ＥＤ素子５０の製造方法を説明する。
【００１１】
最初に、フラット基板１０を作製する。フラット基板１０は、平坦な透明基板１１表面にたとえばスパッタ法や真空蒸着法などで平坦な透明電極１２を形成することにより作製することができる。透明基板１１には、透光性を有するガラス基板やフィルム基板などが用いられる。また、透明電極１２には、透光性および導電性を有するインジウム錫酸化物（ＩＴＯ）やインジウム亜鉛酸化物（ＩＺＯ）などが用いられる。
【００１２】
次に、プリズム基板２０を作製する。平坦な透明基板２１表面に、プリズム層２２を形成する。プリズム層２２の形成には、たとえば図１Ｂに示すような金型２２Ｄを用いる。なお、透明基板２１には、透光性を有するガラス基板やフィルム基板などが用いられる。
【００１３】
図１Ｂに示すように、金型２２Ｄは、プレート状の全体形状を有し、その表面には一方向に整列する複数の三角柱状体が設けられている。三角柱状体各々の断面は、たとえば、高さＨが５μｍ、幅Ｗが２０μｍの直角三角形（頂角が７５°、底角が１５°および９０°）を構成する。
【００１４】
透明基板２１表面に、紫外線硬化性を有する、たとえばアクリル系樹脂部材を塗布し、当該樹脂部材に金型２２Ｄを押し当てて三角柱状体のパターンを転写する。そして、当該樹脂部材に、透明基板２１の裏面側から紫外線を照射して、当該樹脂部材を硬化させる。これにより、透明基板２１表面に、金型２２Ｄの三角柱状体に対応するプリズム（プリズム層２２）が形成される。
【００１５】
続いて、プリズム層２２表面に透明電極２３を形成する。透明電極２３は、プリズム層２２の凹凸に対応する形状を有する。透明電極２３は、たとえばスパッタ法や真空蒸着法などを用いて形成することができる。透明電極２３には、たとえばＩＴＯやＩＺＯなどが用いられる。
【００１６】
以上により、プリズム基板２０が完成する。
【００１７】
次に、フラット基板１０またはプリズム基板２０のどちらかの基板の表面（透明電極側）に、粒径が数十μｍ〜数百μｍ、たとえば５００μｍであるギャップコントロール剤を散布する。ギャップコントロール剤の密度は、たとえば１〜３個／ｍｍ２程度である。なお、ギャップコントロール剤を散布するかわりに、柱状の突起体（スペーサ）を形成してもよい。
【００１８】
続いて、フラット基板１０またはプリズム基板２０のどちらかの基板の表面（透明電極側）に、矩形枠状の全体的平面形状を有するシール枠部材３０を形成する。シール枠部材３０には、たとえば、紫外線硬化性を有する樹脂部材が用いられる。なお、シール枠部材３０には、熱硬化性を有する樹脂部材を用いることもできる。
【００１９】
次に、基板表面に形成されたシール枠部材３０の内側に、銀を含有するＥＤ材料を含む電解液を滴下する。そして、透明電極１２，２２が相対するように、フラット基板１０およびプリズム基板２０を貼り合わせる。これにより、電解液（電解質層）４０が、フラット基板１０およびプリズム基板２０の間に封入される。その後、シール枠部材３０に紫外線を照射して、シール枠部材３０を硬化させる。
【００２０】
電解液４０は、たとえば、ＥＤ材料（ＡｇＮＯ３等）、電解質（ＴＢＡＢｒ等）、メディエータ（ＣｕＣｌ２等）、電解質の浄化剤（ＬｉＢｒ等）、溶媒（ＤＭＳＯ：ｄｉｍｅｔｈｙｌ―ｓｕｌｆｏｘｉｄｅ 等）などにより構成される。なお、さらにゲル化用ポリマ（ＰＶＢ：ｐｏｌｙｖｉｎｙｌ―ｂｕｔｙｒａｌ等）などを添加して、ゲル状（ゼリー状）にしてもよい。実施例においては、溶媒であるＤＭＳＯ中に、ＥＤ材料としてＡｇＮＯ３を５０ｍＭ、支持電解質としてＬｉＢｒを２５０ｍＭ、メディエータとしてＣｕＣｌ２を１０ｍＭ、ゲル化用ポリマとして１０ｗｔ％のＰＶＢを添加したものを用いた。
【００２１】
ＥＤ材料は、ＡｇＮＯ３以外にも、たとえば銀を含むＡｇＣｌＯ４やＡｇＢｒなどを用いることができる。ここで、ＥＤ材料とは、透明電極１２，２３表面において、酸化還元反応などにより、その一部が析出・堆積、または、消失する材料をいう。
【００２２】
支持電解質は、ＥＤ材料の酸化還元反応等を促進するものであれば限定されない。たとえば、リチウム塩（ＬｉＣｌ、ＬｉＢｒ、ＬｉＩ、ＬｉＢＦ４、ＬｉＣｌＯ４等）、カリウム塩（ＫＣｌ、ＫＢｒ、ＫＩ等）、ナトリウム塩（ＮａＣｌ、ＮａＢｒ、ＮａＩ等）を好適に用いることができる。
【００２３】
メディエータは、銅を含むＣｕＣｌ２、以外にも、たとえば銅を含むＣｕＳＯ４やＣｕＢｒ２などを用いることができる。ここで、メディエータとは、銀よりも電気化学的に低いエネルギで酸化・還元する材料をいう。
【００２４】
溶媒は、ＥＤ材料等を安定的に保持することができるものであれば限定されない。たとえば、水や炭酸プロピレン等の極性溶媒、極性のない有機溶媒、更にはイオン性液体、イオン導電性高分子、高分子電解質等を用いることができる。具体的には、ＤＭＳＯの他、炭酸プロピレン、Ｎ，Ｎ−ジメチルホルムアミド、テトラヒドロフラン、アセトニトリル、ポリビニル硫酸、ポリスチレンスルホン酸、ポリアクリル酸等を好適に用いることができる。
【００２５】
なお、電解液の滴下は、ディスペンサやインクジェットヘッドなどを用いて行うことができる。また、フラット基板１０およびプリズム基板２０の貼合は、大気中、真空中ないし窒素雰囲気中で行うことができる。
【００２６】
以上のようにして、ＥＤ素子５０が完成する。
【００２７】
図１Ｃは、定常時（電圧無印加時）におけるＥＤ素子５０の光学的機能を示す模式図である。定常時、電解質層４０（図１Ａ参照）は概ね透明であり、ＥＤ素子５０は光透過状態を実現する。なお、以下では、光透過状態におけるＥＤ素子５０をＥＤ素子５０Ｔと表記することがある。ＥＤ素子５０Ｔに光線を入射すると、当該光線は、ＥＤ素子５０Ｔを透過する。
【００２８】
図２Ａおよび図２Ｂは、フラット基板１０の透明電極１２の電位を基準にしたときに、プリズム基板２０の透明電極２３に負の直流電位を印加した場合におけるＥＤ素子５０を示す断面図、および、当該ＥＤ素子５０の光学的機能を示す模式図である。
【００２９】
図２Ａに示すように、透明電極１２に対して透明電極２３にたとえば−２．５Ｖ程度の電圧を印加した場合、透明電極２３表面において、電解質層４０中の銀イオン（ＥＤ材料）が還元され、銀薄膜（高光反射膜）４１が析出する。これにより、ＥＤ素子５０は第１の光反射状態を実現する。以下では、第１の光反射状態におけるＥＤ素子５０をＥＤ素子５０Ｐと表記することがある。
【００３０】
なお、透明電極２３への電圧印加を停止すると、透明電極２３表面に析出した銀（薄膜）は、電解質層４０中に銀イオンとして溶解し、透明電極２３表面から消失する。これによりＥＤ素子５０は、再度、光透過状態を実現する。
【００３１】
図２Ｂに示すように、ＥＤ素子５０Ｐに光線を入射すると、当該光線は、プリズム層２２（ないし透明電極２３）の傾斜面に基づく銀薄膜４１の表面により、第１の方向に反射される。実施例の条件では、たとえば入射角θｉを４５°としたとき、反射角θｒは７５°程度となる。
【００３２】
図３Ａおよび図３Ｂは、プリズム基板２０の透明電極２３の電位を基準にしたときに、フラット基板１０の透明電極１２に負の直流電位を印加した場合におけるＥＤ素子５０を示す断面図、および、当該ＥＤ素子５０の光学的機能を示す模式図である。
【００３３】
図３Ａに示すように、透明電極２３に対して透明電極１２にたとえば−２．５Ｖ程度の電圧を印加した場合、透明電極１２表面において、銀薄膜（高光反射膜）４２が析出する。これにより、ＥＤ素子５０は第２の光反射状態を実現する。以下では、第２の光反射状態におけるＥＤ素子５０をＥＤ素子５０Ｆと表記することがある。
【００３４】
なお、透明電極１２への電圧印加を停止すると、透明電極１２表面に析出した銀（薄膜）は、透明電極１２表面から消失する。これによりＥＤ素子５０は、再度、光透過状態を実現する。
【００３５】
図３Ｂに示すように、ＥＤ素子５０Ｆに光線を入射すると、当該光線は、透明電極１２の平坦面に基づく銀薄膜４２の表面により、第２の方向に反射される。実施例の条件では、たとえば入射角θｉを４５°としたとき、反射角θｒは４５°程度となり、入射角と反射角とは等しくなる。
【００３６】
以上、ＥＤ素子５０について説明した。以下、図４〜図６を参照して、ＥＤ素子５０を用いた照明装置について説明する。
【００３７】
図４Ａ〜図４Ｃは、第１の実施例による照明装置７０ａを示す模式図である。照明装置７０ａは、光源６０と、単一のＥＤ素子５０と、を有する。
【００３８】
光源６０は、たとえば、半導体発光素子（ＬＥＤ）や蛍光灯、ランプ（キセノン、ハロゲン、ナトリウム等）などの発光源と、該発光源を取り囲む光反射板（ミラー）と、を含む構成である。光源６０は、光出射面から一定の方向に所定の配光で光を放出する。ここで、光源６０から放出される光について、光源６０の光軸に対応する光線を光線６１と表記することとする。
【００３９】
ＥＤ素子５０は、光源６０の光軸上に、たとえばフラット基板１０（図１参照）が光源６０と相対するように配置される。そして、光源６０の光軸に対して傾いて配置される。
【００４０】
ＥＤ素子５０が光透過状態（ＥＤ素子５０Ｔ）である場合、図４Ａに示すように、光源６０から放出される光（たとえば光線６１）は、ＥＤ素子５０を透過して直進する。また、電圧を印加してＥＤ素子５０を第１の光反射状態（ＥＤ素子５０Ｐ）にした場合、図４Ｂに示すように、光源６０から放出される光（たとえば光線６１）は、ＥＤ素子５０により第１の方向に反射される。さらに、電圧を印加してＥＤ素子５０を第２の光反射状態（ＥＤ素子５０Ｆ）にした場合、図４Ｃに示すように、光源６０から放出される光（たとえば光線６１）は、ＥＤ素子５０により第１の方向とは異なる第２の方向に反射される。
【００４１】
このように、ＥＤ素子５０を、電気的な制御により、光透過状態（ＥＤ素子５０Ｔ）、第１の光反射状態（ＥＤ素子５０Ｐ）、および、第２の光反射状態（ＥＤ素子５０Ｆ）に切り替えることで、光源６０から放出される光の方向を少なくとも３方向に切り替えることができる。なお、ＥＤ素子の光軸に対する傾き角度を制御して、光源６０から放出される光の方向をさらに多方向に切り替えられる構成としてもかまわないであろう。
【００４２】
図５Ａ〜図５Ｃは、第２の実施例による照明装置７０ｂを示す模式図である。照明装置７０ｂは、光源６０と、２つのＥＤ素子５０と、を有する。
【００４３】
光源６０は、光出射面から一定の方向に所定の配光で光を放出する。ここで、光源６０から放出される光について、光源６０の光軸に対応する光線を光線６１と表記することとする。また、所定の配光（光の広がり）をもつ光の端領域に対応する光線を光線６２ａ，６２ｂと表記することとする。
【００４４】
２つのＥＤ素子５０は、光源６０光出射面側に光源６０の光軸を挟んで配置されるとともに、たとえばフラット基板１０（図１参照）が相互に対向するように配置される。そして、それぞれ光源６０の光軸に対して傾いて配置される。
【００４５】
２つのＥＤ素子５０がともに光透過状態（ＥＤ素子５０Ｔ）である場合、図５Ａに示すように、光源６０から放出される光（たとえば光線６２ａ，６２ｂ）は、２つのＥＤ素子５０を透過する。この場合、光源６０から放出される光は、光源６０の構成に起因する配光特性（たとえば広角配光）で伝搬される。
【００４６】
また、電圧を印加して２つのＥＤ素子５０をともに第１の光反射状態（ＥＤ素子５０Ｐ）にした場合、図５Ｂに示すように、光源６０から放出される光（たとえば光線６２ａ，６２ｂ）は、２つのＥＤ素子５０により反射される。この場合、光源６０から放出される光は、光源６０の構成に起因する配光特性よりも相対的に狭い配光特性（たとえば中角配光）で伝搬される。
【００４７】
さらに、電圧を印加して２つのＥＤ素子５０をともに第２の光反射状態（ＥＤ素子５０Ｆ）にした場合、図５Ｃに示すように、光源６０から放出される光（たとえば光線６２ａ，６２ｂ）は、２つのＥＤ素子５０により反射される。この場合、光源６０から放出される光は、光源６０の構成に起因する配光特性よりも相対的にさらに狭い配光特性（たとえば狭角配光）で伝搬される。
【００４８】
このように、２つのＥＤ素子５０を、電気的制御により、光透過状態（ＥＤ素子５０Ｔ）、第１の光反射状態（ＥＤ素子５０Ｐ）、および、第２の光反射状態（ＥＤ素子５０Ｆ）に切り替えることで、光源６０から放出される光の配光状態を少なくとも３種の異なる状態に切り替えることができる。なお、一方のＥＤ素子を光透過状態にし、他方のＥＤ素子を第１ないし第２の光反射状態にして、一方向にのみ相対的に広い配光状態で光を伝搬させてもかまわないであろう。
【００４９】
図６Ａは、第３の実施例による照明装置７０ｃを示す模式図である。照明装置７０ｃは、光源６０と３つのＥＤ素子５０とを有し、第１および第２の実施例による照明装置７０ａ，７０ｂを組み合わせたような構成である。このような構成にすることにより、光源６０から放出される光の方向を少なくとも３方向に切り替えることができるとともに、光源６０から放出される光の配光状態も少なくとも３種の異なる状態に切り替えることができる。
【００５０】
図６Ｂは、ＥＤ素子５０の変形例を示す断面図である。ＥＤ素子５０において、フラット基板１０は、プリズム基板２０のプリズム（プリズム層２２）とは形状が異なるプリズムを含むプリズム基板に置き換えられてもかまわない。
【００５１】
変形例によるＥＤ素子５０ａは、対向配置される第１および第２のプリズム基板２０ａ，２０ｂの間に、電解質層４０が配置された構成を有する。第１のプリズム基板２０ａは、ＥＤ素子５０におけるプリズム基板２０と同様の構成である。また、第２のプリズム基板２０ｂは、プリズム層２２ｂを除いて、第１のプリズム基板２０ａとほぼ同様の構成を有する。
【００５２】
第２のプリズム基板２０ｂにおけるプリズムは、一方向に延在する三角柱状の形状を有するとともに、第１のプリズム基板２０ａにおけるプリズムとは異なる形状を有している。なお、たとえば第２のプリズム基板２０ｂのプリズム層２２ｂにおいて、所定の形状を有する第１種のプリズムと、第１種のプリズムとは異なる形状を有する第２種のプリズムと、が混在するような構成としてもかまわない。
【００５３】
第１〜第３の実施例による照明装置７０ａ〜７０ｃには、ＥＤ素子５０の替わりに、このような変形例によるＥＤ素子５０ａを用いてもかまわない。
【００５４】
図７Ａ〜図７Ｃは、実施例による照明装置の応用例を示す模式図である。実施例による照明装置は、たとえば撮影用の補助光源（ストロボ）などに応用することができる。
【００５５】
図７Ａに、撮像装置９０の構造例を示す。撮像装置９０は、一般に、光学レンズ９２やメカニカルシャッタ９３、撮像素子９４などが筐体９１内部に組み込まれている構成を有する。筐体９１の上面には、ストロボを装着することができる連結部９１ｃが設けられている。
【００５６】
図７Ｂに、第１の実施例による照明装置７０ａを利用したストロボ８０ａを示す。ストロボ８０ａは、照明装置７０ａおよび照明装置７０ａを支持する筐体８１から構成される。
【００５７】
筐体８１は、ヘッド部８１ｈとベース部８１ｂとを含み、照明装置７０ａは、ヘッド部８１ｈに組み込まれている。ヘッド部８１ｈの上面および側面には、光学レンズ（透光性樹脂部材）８１Ｌが設けられており、照明装置７０ａから放出される光は、光学レンズ８１Ｌを通して、外部に出射される。ベース部８１ｂは、ヘッド部８１ｈと機械的に結合し、その底部には、撮像装置９０の連結部９１と連結する連結部８１ｃが設けられている。
【００５８】
ストロボ８０ａを撮像装置９０に取り付けて、特定の被写体を撮影する場合を想定する。
【００５９】
ＥＤ素子５０を電気的制御によりたとえば第２の光反射状態にすると、光源６０から放出される光は、ヘッド部８１ｈの側面から出射される。このとき、ヘッド部８１ｈから出射される光を、直接、被写体に照射しながら撮影することができる。
【００６０】
また、ＥＤ素子５０をたとえば光透過状態ないし第１の光反射状態にすると、光源６０から放出される光は、ヘッド部８１ｈの上面（ないし側面の上方）から出射される。このとき、ヘッド部８１ｈから出射される光を、天井などに反射させて間接的に被写体に照射しながら撮影することができる（一般にバウンス撮影と呼ばれる）。
【００６１】
従来のストロボは、一般に、ベース部に対してヘッド部が回転できるような機構を備えている。直接光による撮影とバウンス撮影とを切り替る場合には、ストロボのヘッド部を機械的に回転させるなどして光出射方向を調整していた（たとえば、特願２００６−１７１１９２号公報、および、特願２００９−２６５２３３号公報）。
【００６２】
一方、第１の実施例による照明装置を利用したストロボは、電気的制御により光出射方向を調整することが可能であり、ヘッド部を回転させるための機構部品が不要である。このため、従来のストロボに比べて、部品点数の削減や小型・軽量化などにおいて優位な効果を有している。
【００６３】
図７Ｃに、第２の実施例による照明装置７０ｂを利用したストロボ８０ｂを示す。ストロボ８０ｂは、照明装置７０ｂおよび照明装置７０ｂを支持する筐体８２から構成される。
【００６４】
筐体８２は、ヘッド部８２ｈとベース部８２ｂとを含み、照明装置７０ｂは、ヘッド部８２ｈに組み込まれている。ヘッド部８２ｈの一側面には、光学レンズ（透光性樹脂部材）８２Ｌが設けられており、照明装置７０ｂから放出される光は、光学レンズ８２Ｌを通して、外部に出射される。ベース部８２ｂは、ヘッド部８２ｈと機械的に結合し、その底部には、撮像装置９０の連結部９１と連結する連結部８２ｃが設けられている。なお、ヘッド部８２ｈは、図中に示す矢印の方向に回転するために回転機構８２ｒを備えていてもよい。
【００６５】
ストロボ８０ｂを撮像装置９０に取り付けて、特定の被写体を撮影する場合を想定する。
【００６６】
２つのＥＤ素子５０をたとえば光透過状態にすると、光源６０から放出される光は、相対的に広い配光状態（広角配光）で、ヘッド部８１ｈの側面から出射される。このとき、ヘッド部８１ｈから出射される光を、被写体およびその周辺に照射しながら撮影することができる。
【００６７】
また、２つのＥＤ素子５０を電気的制御によりたとえば第１ないし第２の光反射状態にすると、光源６０から放出される光は、相対的に狭い配光状態（中角ないし狭角配光）で、ヘッド部８１ｈの側面から出射される。このとき、ヘッド部８１ｈから出射される光を、被写体に集中的に照射しながら撮影することができる。
【００６８】
従来のストロボは、一般に、光出射面の光学レンズまたは光源を移動させることができる機構を備えている。被写体およびその周辺の照明状態を変える場合には、光源または光学レンズを機械的に移動させ、光源と光学レンズとの距離を変化させるなどして、出射光の配光状態を調整していた。
【００６９】
一方、第２の実施例による照明装置を利用したストロボは、電気的制御により出射光の配光状態を調整することが可能であり、光源を移動させるための機構部品が不要である。このため、従来のストロボに比べて、部品点数の削減および小型・軽量化などにおいて優位な効果を有している。
【００７０】
なお、実施例による照明装置の応用例としては、ストロボに限定されない。実施例による照明装置は小型・軽量化において優位な効果を有しているから、たとえば携帯電話用カメラや内視鏡カメラなど、小型・軽量化が要求される製品の補助光源などにも好適に応用することができるであろう。
【００７１】
以上、本発明を実施するための形態について説明したが、本発明はこれらに制限されるものではない。種々の変更、改良、組み合わせ等が可能なことは当業者に自明であろう。
【符号の説明】
【００７２】
１０…フラット基板、１１…透明基板、１２…透明電極、２０…プリズム基板、２１…透明基板、２２…プリズム層、２３…透明電極、３０…シール枠部材、４０…電解質層、４１・４２…金薄膜、５０…エレクトロデポジション素子（ＥＤ素子）、６０…光源、７０…照明装置、８０…撮影補助光源装置（ストロボ）、８１・８２…筐体、９０…撮像装置、９１…筐体、９２…光学レンズ、９３…メカニカルシャッタ、９４…撮像素子。
【図１】
2015222349.tif 000003
【図２】
2015222349.tif 000004
【図３】
2015222349.tif 000005
【図４】
2015222349.tif 000006
【図５】
2015222349.tif 000007
【図６】
2015222349.tif 000008
【図７】
2015222349.tif 000009